(57)【要約】煙道ガス流処理システムは、燃料を燃焼して、水蒸気、一酸化炭素及び二酸化炭素を含む煙道ガス流を生成する燃料反応器を備える。当該システムは、前記煙道ガス流が流入し、前記一酸化炭素を酸化させて二酸化炭素に富む煙道ガス流を形成するように構成された、前記燃料反応器の下流の酸化触媒と、前記二酸化炭素に富む煙道ガス流中の二酸化炭素を液化し、排ガスを生成する処理部とを備える。
2013522149.tif 000002
【特許請求の範囲】
【請求項１】
液体二酸化炭素流を生成する方法であって、
二酸化炭素、一酸化炭素及び水蒸気を含む煙道ガス流を生成し、
前記一酸化炭素を酸化させる酸化触媒に前記煙道ガス流を曝すことにより、二酸化炭素に富む煙道ガス流を生成し、
前記二酸化炭素に富む煙道ガス流を処理して液体二酸化炭素流を形成する、
ことを含む方法。
【請求項２】
前記煙道ガス流を、ケミカルルーピング燃焼システムの燃料反応器内で燃料を燃焼することによって生成する、請求項１に記載の方法。
【請求項３】
前記二酸化炭素に富む煙道ガス流の処理によって、排ガスを生成する、請求項１に記載の方法。
【請求項４】
前記排ガスを大気中に排出することを更に含む、請求項３に記載の方法。
【請求項５】
前記液体二酸化炭素流を貯蔵することを更に含む、請求項１に記載の方法。
【請求項６】
前記煙道ガス流が、硫黄酸化物、窒素酸化物、水銀及びそれらの組み合わせからなる群より選択される汚染物質を更に含む、請求項１に記載の方法。
【請求項７】
前記一酸化炭素が、二酸化炭素濃度に対し少なくとも１体積％の濃度で前記煙道ガス流中に存在する、請求項１に記載の方法。
【請求項８】
前記煙道ガス流を前記酸化触媒に曝す前に、
前記煙道ガス流を、脱硫装置、粒子除去装置、窒素酸化物除去装置、水銀除去装置及びそれらの組み合わせからなる群より選択される汚染物質除去装置にかけることを更に含む、請求項１に記載の方法。
【請求項９】
前記煙道ガス流に酸素を加えることを更に含む、請求項１に記載の方法。
【請求項１０】
煙道ガス流処理システムであって、
燃料を燃焼して、水蒸気、一酸化炭素及び二酸化炭素を含む煙道ガス流を生成する燃料反応器と、
前記煙道ガス流が流入し、前記一酸化炭素を酸化させて二酸化炭素に富む煙道ガス流を形成するように構成された、前記燃料反応器の下流の酸化触媒と、
前記二酸化炭素に富む煙道ガス流中の二酸化炭素を液化し、排ガスを生成する処理部と、
を備えるシステム。
【請求項１１】
前記煙道ガス流が、硫黄酸化物、窒素酸化物、水銀及びそれらの組み合わせからなる群より選択される汚染物質を更に含む、請求項１０に記載のシステム。
【請求項１２】
前記燃料反応器の下流且つ前記酸化触媒の上流に位置する汚染物質除去装置を更に備え、該汚染物質除去装置が、硫黄酸化物除去装置、窒素酸化物除去装置、水銀除去装置及びそれらの組み合わせからなる群より選択される、請求項１１に記載のシステム。
【請求項１３】
前記燃料反応器の下流に位置する酸素生成部を更に備え、該酸素生成部が、酸素を前記煙道ガス流へ導入する、請求項１０に記載のシステム。
【請求項１４】
煙道ガス流処理システムから放出される汚染物質の量を削減する方法であって、
ケミカルルーピング燃焼システムの燃料反応器内で燃料を燃焼することによって、水蒸気及び一酸化炭素を含む煙道ガス流を生成し、
前記煙道ガス流から水蒸気及び一酸化炭素を除去することによって液体二酸化炭素を形成し、
前記液体二酸化炭素を形成する際に排ガスを生成し、
前記排ガスの少なくとも一部を前記ケミカルルーピング燃焼システム内の空気反応器に供給することにより、煙道ガス流処理システムから放出される汚染物質の量を削減する、
ことを含む方法。
【請求項１５】
前記煙道ガス流が、硫黄酸化物、窒素酸化物、水銀、二酸化炭素及びそれらの組み合わせからなる群より選択される汚染物質を更に含む、請求項１４に記載の方法。
【請求項１６】
前記排ガスが一酸化炭素を含む、請求項１５に記載の方法。
【請求項１７】
前記煙道ガス流中の前記一酸化炭素の濃度が、前記煙道ガス流中の前記二酸化炭素の濃度に対して１体積％未満である、請求項１４に記載の方法。
【発明の詳細な説明】
【技術分野】
【０００１】
本開示は、概して、二酸化炭素流の生成システム及び方法に関する。より詳細には、本開示は、ケミカルルーピング燃焼システムを採用する煙道ガス流処理システムにおける二酸化炭素流の生成に関する。
【背景技術】
【０００２】
ケミカルルーピング燃焼（ＣＬＣ）は、二酸化炭素（ＣＯ２）を本質的に分離すること（ｉｎｈｅｒｅｎｔ  ｓｅｐａｒａｔｉｏｎ）が可能な燃焼技術である。ＣＬＣは通常、空気反応器と燃料反応器という２つの反応器を使用する。固体酸素キャリアは、金属とすることができ、空気中の酸素を燃料に運ぶ。燃料は燃料反応器に供給され、そこで、燃料は酸素キャリアによって酸化され、酸素キャリアは還元される。そして、酸素キャリアは空気反応器へ戻り、そこで酸化される。この燃料の酸化とキャリアの還元とのループが連続して起こる。燃料反応器から出る流れは、一般的に煙道ガスと呼ばれ、通常ＣＯ２及び水蒸気を含む。しかし、燃料によって、煙道ガスは少量の汚染物質を含むこともある。煙道ガス中の水蒸気は冷却や凝縮によってＣＯ２から分離され、他方、ＣＯ２は液化又は圧縮され、更なる輸送に供される。
【０００３】
燃料反応器内での滞留時間が限られており、かつ、利用可能な酸素が不十分なため、ＣＯ２流は、一酸化炭素（ＣＯ）や水素（Ｈ２）、メタン（ＣＨ４）等の不完全燃焼による生成物によって汚染されることがある。加えて、この煙道ガス流は、空気で希釈されることがあり、これがボイラに漏入しうる。
【０００４】
ＣＯ２が液化される間、ＣＯやＨ２、ＣＨ４といった汚染物質は、ＣＯ２と比べ液化されにくい。これらの汚染物質は、一般的に排ガスと呼ばれる非凝縮相の形をとる。多くの場合、排ガス中の汚染レベルが高すぎるため、処理を更に施さずに大気に放出することはできない。排ガスを燃料反応器へ再循環させても、Ｎ２やその他の不活性ガスが煙道ガス中に徐々に蓄積する結果となり、ＣＯ２流を希釈させるおそれがある。これにより、ＣＬＣシステムの効率が低下する。
【発明の概要】
【発明が解決しようとする課題】
【０００５】
従って、ＣＬＣシステムに影響を与えずに効率良く排ガスを処理するための方法又はシステムが望まれている。
【課題を解決するための手段】
【０００６】
本明細書において説明する特徴によれば、液体二酸化炭素流を生成する方法であって、二酸化炭素、一酸化炭素及び水蒸気を含む煙道ガス流を生成し、前記一酸化炭素を酸化させる酸化触媒に前記煙道ガス流を曝すことにより、二酸化炭素に富む煙道ガス流を生成し、前記二酸化炭素に富む煙道ガス流を処理して液体二酸化炭素流を形成することを含む方法が提供される。
【０００７】
本明細書において説明する他の特徴によれば、煙道ガス流処理システムであって、燃料を燃焼して、水蒸気、一酸化炭素及び二酸化炭素を含む煙道ガス流を生成する燃料反応器と、前記煙道ガス流が流入し、前記一酸化炭素を酸化させて二酸化炭素に富む煙道ガス流を形成するように構成された、前記燃料反応器の下流の酸化触媒と、前記二酸化炭素に富む煙道ガス流中の二酸化炭素を液化し、排ガスを生成する処理部とを備えるシステムが提供される。
【０００８】
本明細書において説明する他の特徴によれば、煙道ガス流処理システムから放出される汚染物質の量を削減する方法であって、ケミカルルーピング燃焼システムの燃料反応器内で燃料を燃焼することによって、水蒸気及び一酸化炭素を含む煙道ガス流を生成し、前記煙道ガス流から水蒸気及び一酸化炭素を除去することによって液体二酸化炭素流を形成し、前記液体二酸化炭素流を形成する際に排ガス生成し、前記排ガスの少なくとも一部を前記ケミカルルーピング燃焼システム内の空気反応器に供給することにより、煙道ガス流処理システムから放出される汚染物質の量を削減することを含む方法が提供される。
【０００９】
上述した特徴及びその他の特徴を以下の図面及び詳細な説明によって例示する。
【図面の簡単な説明】
【００１０】
【図１】本明細書で開示されるシステムの一つの実施形態の概略ブロック図である。
【図２】本明細書で開示されるシステムの一つの実施形態の概略ブロック図である。
【発明を実施するための形態】
【００１１】
ここで、図面を参照するが、図面は例示の実施形態であり、同様の構成要素には同様の番号を付してある。
【００１２】
図１は、燃焼システム１２０を有する煙道ガス流処理システム１００を示す。燃焼システム１２０は、燃料１２２を燃焼して煙道ガス１２４を形成することが可能であれば、いかなるシステムであってもよい。図１に示す燃焼システム１２０は、ケミカルルーピング燃焼システムであり、空気反応器１２６と、燃料反応器１２８とを備える。煙道ガス流処理システム１００は、このような構成に限定されていない。燃焼システム１２０が、ボイラ、炉などに限定されることなく、他の燃焼システムでもよいからである。
【００１３】
稼働時に、ケミカルルーピング燃焼システム１２０は、空気反応器１２６内に存在する空気中の酸素を燃料反応器１２８に供給される燃料１２２へ運ぶ酸素キャリア１３０を含む。燃料１２２は、燃料反応器１２８内で酸素キャリア１３０によって酸化されるとともに、この酸素キャリアは還元され、還元された酸素キャリア１３２として空気反応器１２６へ戻る。還元された酸素キャリア１３２は空気反応器１２６内で酸化される。この燃料１２２の酸化と酸素キャリア１３０の還元とのループが連続して起こる。酸素キャリア１３０は、限定されないがニッケル、銅、鉄、マンガン、カドミウム、コバルト等の金属でもよい。
【００１４】
図１に示すように、ケミカルルーピング燃焼システム１２０は、サイクロン１３４を１機以上備えていてもよい。サイクロン１３４は、使い切った空気からの酸素キャリア１３０の分離及び還元された酸素キャリア１３２からの煙道ガス流１２４の分離を促進する。
【００１５】
燃料反応器１２８内で燃料１２２を酸化することによって煙道ガス流１２４が生成され、この煙道ガス流１２４の一部を燃料反応器１２８へ再循環させてもよい。煙道ガス流１２４は通常、一酸化炭素（ＣＯ）、二酸化炭素（ＣＯ２）、及び水蒸気を含む。しかし、燃料によっては、煙道ガス流１２４は、限定されないが硫黄酸化物（ＳＯｘ）や、窒素酸化物（ＮＯｘ）、水銀、水素（Ｈ２）、メタン（ＣＨ４）等の少量の汚染物質も様々な濃度で含み得る。煙道ガス流１２４はまた、フライアッシュや未燃焼燃料（「未燃焼物」という）といった汚染物質も含み得る。
【００１６】
一酸化炭素の酸化に必要とされる酸素は、ボイラ１５４に漏入する空気流１５２によって導入することができる。ボイラ１５４は、煙道ガス流１２４が通過するものである。一酸化炭素が酸化することにより二酸化炭素が形成され、この二酸化炭素を処理部１５０内で凝縮・液化することができる。ボイラ１５４へ漏入する際、空気流１５２は通常、煙道ガス流１２４の煙道容積の約２％に相当する。
【００１７】
煙道ガス流１２４中に存在する汚染物質の除去は、処理部１５０へ導入する前に、この煙道ガス流を汚染物質除去装置１４０に供給することによって行われる。汚染物質除去装置１４０の例としては、限定されないが、粒子除去装置、湿式煙道ガス脱硫（ＷＦＧＤ）又は乾式煙道ガス脱硫（ＤＦＧＤ）といった脱硫装置、窒素酸化物（ＮＯｘ）除去装置、水銀除去装置（例えば、活性炭）など、及びそれらの組み合わせが挙げられる。煙道ガス流１２４から汚染物質の少なくとも一部を除去することによって、二酸化炭素に富む煙道ガス流１２４’が生成され、処理部１５０へと導入される。
【００１８】
処理部１５０は、二酸化炭素に富む煙道ガス流１２４’中に存在する二酸化炭素を凝縮・液化するとともに、残存する汚染物質を全て除去し、二酸化炭素流１５６及び排ガス１５８を生成する。二酸化炭素流１５６は、液体状態で別の場所へ輸送され、そして圧縮、使用及び／又は貯蔵に供される。
【００１９】
排ガス１５８は通常、窒素や、水素、酸素、一酸化炭素等の、煙道ガス流１２４から除去されなかった物質を含む。
【００２０】
一つの実施形態において、図１に示すように、煙道ガス流１２４中に存在する一酸化炭素が煙道ガス流中の二酸化炭素濃度に対して約１体積％未満の場合、排ガス１５８の少なくとも一部を空気反応器１２６へ戻してもよい。
【００２１】
煙道ガス流１２４中の一酸化炭素濃度の測定値は、測定器１６０によって得ることができる。測定器１６０は、一酸化炭素濃度の測定値を得ることが可能であれば、いかなる装置でもよい。測定器１６０の例としては、限定されないが、センサ又は燃焼ガス分析器、例えば、Ｆｙｒｉｔｅ（登録商標）分析器が挙げられる。測定器１６０は、ユーザから操作指示１７２を受けることが可能なコントローラ１７０、例えば、データプロセッサと連結されていてもよく、測定された濃度に関するデータ１７４をユーザに提供できる。
【００２２】
他の実施形態において、図２に示すように、煙道ガス流１２４中に存在する一酸化炭素の濃度が煙道ガス流１２４中の二酸化炭素濃度の約１体積％以上の場合、この排ガス１５８を空気反応器１２６へ戻さず、代わりに大気へ放出される。加えて、二酸化炭素に富む煙道ガス流１２４’は、処理部１５０へ導入する前に、別の処理に供される。具体的には、酸化触媒１８０が、燃料反応器１２８の下流で、汚染物質除去装置１４０と処理部１５０との間の位置に配置されている。酸化触媒１８０は、二酸化炭素に富む煙道ガス流１２４’中に存在する一酸化炭素の酸化を促進し、二酸化炭素を形成する。
【００２３】
酸化触媒１８０は、空気流１５２と協同して作用し、煙道ガス流中に存在する一酸化炭素を酸化させる。煙道ガス流１２４中の一酸化炭素濃度が煙道ガス流中の二酸化炭素濃度の約３体積％未満の場合、煙道ガス流の体積の２％に相当する空気流１５２で、酸化は十分に実現されるはずである。しかし、空気流１５２の体積が煙道ガス流１２４の２％未満又は一酸化炭素濃度が３体積％以上の場合、酸化のために酸素を更に加えてもよい。一酸化炭素の酸化効率を上げるために、又は空気流１５２の体積を確実に所望のレベルにするために、ボイラ１５４に漏通する空気流の量を増やすことができる。あるいは、より一酸化炭素が酸化されるように、空気分離器等の酸素生成部によって酸素流１８２を供給してもよい。
【００２４】
煙道ガス流１２４中に存在する一酸化炭素を酸化させることによって、排ガス１５８を煙道ガス処理システム１００内で再利用してもよいし、排ガス１５８が大気へ放出許容な濃度の汚染物質を含むようにしてもよい。
【００２５】
様々な例示の実施形態を参照して本発明を説明したが、本発明の範囲を逸脱することなく、種々の変更を加えたり、本発明の要素を均等物に置き換えたりし得ることが当業者には理解されるであろう。また、本発明の本質的な範囲から逸脱することなく、特定の状況や材料を本発明の教示に適合させるように多くの変形を行うことができる。したがって、本発明は、この発明を実施するために考えられた最良の形態として開示された特定の実施形態に限定されず、添付の請求項の範囲内の全ての実施形態を含むことが意図されている。
【図１】
2013522149.tif 000003
【図２】
2013522149.tif 000004
【国際調査報告】
2013522149.tif 000005
2013522149.tif 000006